(57)【特許請求の範囲】
【請求項１】
原稿載置面を有する原稿台と、
前記原稿台に対して回動可能に支持されたカバー部材と、
前記原稿載置面に載置された原稿から画像データを読み取る画像読取部と、
前記カバー部材の前記原稿台に対する回動角度が予め定められた検出角度を超えた状態から前記検出角度以下へと変化した際に、前記画像読取部に少なくとも１ライン分の前記画像データを読み取らせる読取制御手段と、
前記画像読取部における予め定められた最大読取サイズの領域外であって前記カバー部材が閉じられたときに前記カバー部材で覆われる領域に配置された光電変換部と、
前記回動角度が前記検出角度を超えた状態から前記検出角度以下へと変化した際の前記光電変換部の出力に応じて、前記読取制御手段により読み取られた前記画像データを補正するデータ補正手段と、
前記データ補正手段により補正された前記画像データに基づいて前記原稿載置面に載置されている原稿の主走査方向における幅を検出する原稿幅検出手段と、
を備え、
前記データ補正手段が、前記原稿載置面の前記主走査方向における予め定められた複数の部分領域ごとに対応する前記画像データを個別に補正可能である画像読取装置。
【請求項２】
前記データ補正手段が、前記回動角度が前記検出角度を超えた状態から前記検出角度以下へと変化した際に前記光電変換部の出力値を取得する出力値取得手段を含み、
前記読取制御手段が、前記出力値取得手段により前記光電変換部の出力値が取得された後に、前記画像読取部に前記画像データを読み取らせる請求項１に記載の画像読取装置。
【請求項３】
前記データ補正手段が、前記読取制御手段により読み取られた前記画像データを予め定められた閾値に基づいて濃度別に２値化するデータ変換手段を含み、前記回動角度が前記検出角度を超えた状態から前記検出角度以下へと変化した際の前記光電変換部の出力に応じて前記閾値を変化させることで前記画像データを補正する請求項１又は２のいずれかに記載の画像読取装置。
【請求項４】
前記原稿載置面の予め定められた検出位置における原稿の有無を検出可能な載置検出手段と、
前記原稿幅検出手段及び前記載置検出手段の検出結果に応じて前記原稿載置面に載置されている原稿のサイズを検出するサイズ検出手段と、
を備える請求項１〜３のいずれかに記載の画像読取装置。
【請求項５】
前記光電変換部が、前記原稿台上における前記原稿載置面の前記主走査方向の両端部のうち前記カバー部材の回転軸から遠い側の端部の外側であって、前記読取制御手段による前記画像データの読取範囲と同じ副走査方向の範囲内の位置に設けられている請求項１〜４のいずれかに記載の画像読取装置。
【請求項６】
前記光電変換部が太陽電池である請求項１〜５のいずれかに記載の画像読取装置。
【請求項７】
請求項１〜６のいずれかに記載の画像読取装置と、前記画像読取装置により読み取られた画像データに基づいて画像を形成可能な画像形成部と、を備える画像形成装置。
【請求項８】
原稿載置面を有する原稿台と、前記原稿台に対して回動可能に支持されたカバー部材と、前記原稿載置面に載置された原稿から画像データを読み取る画像読取部と、前記画像読
取部における予め定められた最大読取サイズの領域外であって前記カバー部材が閉じられたときに前記カバー部材で覆われる領域に配置された光電変換部とを備える画像読取装置で実行される原稿幅検出方法であって、
前記カバー部材の前記原稿台に対する回動角度が予め定められた検出角度を超えた状態から前記検出角度以下へと変化した際に、前記画像読取部に少なくとも１ライン分の前記画像データを読み取らせる第１ステップと、
前記回動角度が前記検出角度を超えた状態から前記検出角度以下へと変化した際の前記光電変換部の出力に応じて、前記第１ステップにより読み取られた前記画像データを補正する第２ステップと、
前記第２ステップにより補正された前記画像データに基づいて前記原稿載置面に載置されている原稿の主走査方向における幅を検出する第３ステップと、
を含み、
前記第２ステップでは、前記原稿載置面の前記主走査方向における予め定められた複数の部分領域ごとに対応する前記画像データが個別に補正される原稿幅検出方法。
【発明の詳細な説明】
【技術分野】
【０００１】
本発明は、原稿載置面に載置された原稿のサイズを検出可能な画像読取装置、画像形成装置、及び原稿幅検出方法に関する。
【背景技術】
【０００２】
一般に、原稿の画像を読取可能なスキャナーなどの画像読取装置において、画像読取処理が実行される前に、原稿載置面に載置された原稿のサイズが検出されることがある（例えば、特許文献１参照）。例えば、ユーザーによって原稿カバーが閉じられる直前に読取ユニットから光を照射させて画像データを読み取り、読み取った画像データから原稿領域及び原稿外領域を識別することで、原稿のサイズを検出する技術が知られている。
【先行技術文献】
【特許文献】
【０００３】
【特許文献１】特公平６−９０３９９号公報
【発明の概要】
【発明が解決しようとする課題】
【０００４】
ところで、原稿カバーが閉じられる直前に画像データを読み取る場合、原稿カバーと原稿台との隙間から室内灯などの外部の光が原稿載置面に差し込み、原稿のサイズの検出精度を低下させることがあった。
【０００５】
本発明の目的は、原稿のサイズの検出精度を高めることが可能な画像読取装置、画像形成装置、及び原稿幅検出方法を提供することにある。
【課題を解決するための手段】
【０００６】
本発明の一の局面に係る画像読取装置は、原稿台と、カバー部材と、画像読取部と、読取制御手段と、光電変換部と、データ補正手段と、原稿幅検出手段とを備える。前記原稿台は、原稿載置面を有する。前記カバー部材は、前記原稿台に対して回動可能に支持される。前記画像読取部は、前記原稿載置面に載置された原稿から画像データを読み取る。前記読取制御手段は、前記カバー部材の前記原稿台に対する回動角度が予め定められた検出角度を超えた状態から前記検出角度以下へと変化した際に、前記画像読取部に少なくとも１ライン分の前記画像データを読み取らせる。前記光電変換部は、前記画像読取部における予め定められた最大読取サイズの領域外であって前記カバー部材が閉じられたときに前記カバー部材で覆われる領域に配置される。前記データ補正手段は、前記回動角度が前記検出角度を超えた状態から前記検出角度以下へと変化した際の前記光電変換部の出力に応じて、前記読取制御手段により読み取られた前記画像データを補正する。前記原稿幅検出手段は、前記データ補正手段により補正された前記画像データに基づいて前記原稿載置面に載置されている原稿の主走査方向における幅を検出する。
【０００７】
本発明の他の局面に係る画像形成装置は、画像読取装置と、画像形成部とを備える。前記画像形成部は、前記画像読取装置により読み取られた前記画像データに基づいて画像を形成可能である。前記画像読取装置は、原稿台と、カバー部材と、画像読取部と、読取制御手段と、光電変換部と、データ補正手段と、原稿幅検出手段とを備える。前記原稿台は、原稿載置面を有する。前記カバー部材は、前記原稿台に対して回動可能に支持される。前記画像読取部は、前記原稿載置面に載置された原稿から画像データを読み取る。前記読取制御手段は、前記カバー部材の前記原稿台に対する回動角度が予め定められた検出角度を超えた状態から前記検出角度以下へと変化した際に、前記画像読取部に少なくとも１ライン分の前記画像データを読み取らせる。前記光電変換部は、前記画像読取部における予め定められた最大読取サイズの領域外であって前記カバー部材が閉じられたときに前記カバー部材で覆われる領域に配置される。前記データ補正手段は、前記回動角度が前記検出角度を超えた状態から前記検出角度以下へと変化した際の前記光電変換部の出力に応じて、前記読取制御手段により読み取られた前記画像データを補正する。前記原稿幅検出手段は、前記データ補正手段により補正された前記画像データに基づいて前記原稿載置面に載置されている原稿の主走査方向における幅を検出する。
【０００８】
本発明の他の局面に係る原稿幅検出方法は、原稿載置面を有する原稿台と、前記原稿台に対して回動可能に支持されたカバー部材と、前記原稿載置面に載置された原稿から画像データを読み取る画像読取部と、前記画像読取部における予め定められた最大読取サイズの領域外であって前記カバー部材が閉じられたときに前記カバー部材で覆われる領域に配置された光電変換部とを備える画像読取装置で実行される原稿の幅検出方法であって、以下の第１ステップから第３ステップを含む。前記第１ステップは、前記カバー部材の前記原稿台に対する回動角度が予め定められた検出角度を超えた状態から前記検出角度以下へと変化した際に、前記画像読取部に少なくとも１ライン分の前記画像データを読み取らせる。前記第２ステップは、前記回動角度が前記検出角度を超えた状態から前記検出角度以下へと変化した際の前記光電変換部の出力に応じて、前記第１ステップにより読み取られた前記画像データを補正する。前記第３ステップは、前記第２ステップにより補正された前記画像データに基づいて前記原稿載置面に載置されている原稿の主走査方向における幅を検出する。
【発明の効果】
【０００９】
本発明によれば、原稿のサイズの検出精度を高めることが可能になる。
【図面の簡単な説明】
【００１０】
【図１】本発明の実施の形態に係る画像形成装置の構成を示す図。
【図２】本発明の実施の形態に係る画像形成装置のシステム構成を示すブロック図。
【図３】本発明の実施の形態に係る画像形成装置の光電変換部の配置位置の一例を示す図。
【図４】本発明の実施の形態に係る画像形成装置で実行されるサイズ検出処理の一例を示すフローチャート。
【図５】本発明の実施の形態に係る画像形成装置の光電変換部の配置位置の他の例を示す図。
【発明を実施するための形態】
【００１１】
以下添付図面を参照しながら、本発明の実施の形態について説明し、本発明の理解に供する。なお、以下の実施の形態は、本発明を具体化した一例であって、本発明の技術的範囲を限定する性格のものではない。
【００１２】
［画像形成装置１０の概略構成］
まず、図１及び図２を参照しつつ、本発明の実施の形態に係る画像形成装置１０の概略構成について説明する。ここで、図１（Ａ）は、前記画像形成装置１０の模式断面図、図１（Ｂ）は、図１（Ａ）におけるＣ−Ｃ矢視図である。
【００１３】
図１及び図２に示すように、前記画像形成装置１０は、ＡＤＦ１、画像読取部２、画像形成部３、給紙部４、制御部５、及び操作表示部６を備える。前記画像形成装置１０は、原稿から画像データを読み取るスキャン機能と共に、プリンター機能、ファクシミリー機能、又はコピー機能などの複数の機能を有する複合機である。なお、前記画像形成装置１０において、前記ＡＤＦ１、前記画像読取部２及び前記制御部５を備える構成が本発明に係る画像読取装置の一例である。また、本発明は、スキャナー、ファクシミリー装置、及びコピー機などの画像読取装置又は画像形成装置に適用可能である。
【００１４】
前記画像形成部３は、前記画像読取部２で読み取られた画像データ又は外部のパーソナルコンピューター等の情報処理装置から入力された画像データに基づいて画像形成処理（印刷処理）を実行する電子写真方式の画像形成部である。具体的に、前記画像形成部３は、図１（Ａ）に示すように、感光体ドラム３１、帯電装置３２、露光装置（ＬＳＵ）３３、現像装置３４、転写ローラー３５、クリーニング装置３６、定着ローラー３７、加圧ローラー３８、及び排紙トレイ３９を備える。そして、前記画像形成部３では、前記給紙部４に着脱可能な給紙カセット４１から供給される用紙に以下の手順で画像が形成され、画像形成後の用紙が前記排紙トレイ３９に排出される。
【００１５】
まず、前記帯電装置３２によって前記感光体ドラム３１が所定の電位に一様に帯電される。次に、前記露光装置３３により前記感光体ドラム３１の表面に画像データに基づく光が照射される。これにより、前記感光体ドラム３１の表面に画像データに対応する静電潜像が形成される。そして、前記感光体ドラム３１上の静電潜像は前記現像装置３４によってトナー像として現像（可視像化）される。なお、前記現像装置３４には、前記画像形成部３に着脱可能なトナーコンテナ３４Ａからトナー（現像剤）が補給される。続いて、前記感光体ドラム３１に形成されたトナー像は前記転写ローラー３５によって用紙に転写される。その後、用紙に転写されたトナー像は、その用紙が前記定着ローラー３７及び前記加圧ローラー３８の間を通過する際に前記定着ローラー３７で加熱されて溶融定着する。なお、前記感光体ドラム３１の表面に残存したトナーは前記クリーニング装置３６で除去される。
【００１６】
前記制御部５は、不図示のＣＰＵ、ＲＯＭ、ＲＡＭ、及びＥＥＰＲＯＭ（登録商標、以下同様）などの制御機器を備える。前記ＣＰＵは、各種の演算処理を実行するプロセッサーである。前記ＲＯＭは、前記ＣＰＵに各種の処理を実行させるための制御プログラムなどの情報が予め記憶される不揮発性の記憶部である。前記ＲＡＭは揮発性の記憶部、前記ＥＥＰＲＯＭは不揮発性の記憶部である。前記ＲＡＭ及び前記ＥＥＰＲＯＭは、前記ＣＰＵが実行する各種の処理の一時記憶メモリー（作業領域）として使用される。そして、前記制御部５は、前記ＲＯＭに予め記憶された各種の制御プログラムを前記ＣＰＵを用いて実行することにより前記画像形成装置１０を統括的に制御する。なお、前記制御部５は、集積回路（ＡＳＩＣ）などの電子回路で構成されたものであってもよく、前記画像形成装置１０を統括的に制御するメイン制御部とは別に設けられた制御部であってもよい。
【００１７】
前記操作表示部６は、前記制御部５からの制御指示に応じて各種の情報を表示する液晶ディスプレーなどの表示部、及びユーザーの操作に応じて前記制御部５に各種の情報を入力するハードキー又はタッチパネルなどの操作部を有する。
【００１８】
前記ＡＤＦ１は、図１（Ａ）に示すように、原稿セット部１１、複数の搬送ローラー１２、原稿押さえ１３、及び排紙部１４を備える自動原稿搬送装置である。また、前記ＡＤＦ１は、後述の原稿台２１に対して回動可能に支持されており、原稿台２１の原稿載置面２１１に載置される原稿に対する原稿カバーを兼ねている。前記ＡＤＦ１では、前記搬送ローラー１２各々が不図示のモーターで駆動されることにより、前記原稿セット部１１に載置された原稿が前記画像読取部２による画像データの読取位置を通過して前記排紙部１４まで搬送される。これにより、前記画像読取部２は、前記ＡＤＦ１により搬送される原稿から画像データを読み取ることが可能である。ここに、前記ＡＤＦ１がカバー部材の一例である。
【００１９】
前記画像読取部２は、原稿から画像データを読み取り可能な画像読取部である。具体的に、前記画像読取部２は、図１（Ａ）及び図１（Ｂ）に示すように、原稿台２１、読取ユニット２２、ミラー２３、２４、光学レンズ２５、ＣＣＤ（Charge Coupled Device）２６、開閉検出センサー２７、載置検出センサー２８、及び光電変換部２９を備える。
【００２０】
前記原稿台２１は、前記画像読取部２の上面に設けられており、図１（Ｂ）に示すように、原稿載置面２１１及び搬送読取面２１２を備える。前記原稿載置面２１１は、画像データの読取対象となる原稿が載置される透光性を有するコンタクトガラスである。前記原稿載置面２１１では、予め定められた載置基準位置２１３に合わせて各種サイズの原稿が載置される。具体的に、前記原稿載置面２１１では、Ｂ５縦、Ａ４縦、Ｂ５横、Ａ４横、Ｆｏｌｉｏ、Ｂ４横、及びＡ３横のサイズの原稿が載置可能である。前記搬送読取面２１２は、前記ＡＤＦ１により搬送される原稿に対して前記読取ユニット２２から照射される光を透過する搬送読取用ガラスである。なお、前記原稿台２１には、前記ＡＤＦ１を回動可能に支持するヒンジ２１６が設置されており、前記ＡＤＦ１は前記ヒンジ２１６を回動軸として回動されることで、前記原稿載置面２１１に載置された原稿に対する原稿カバーとして機能する。
【００２１】
前記読取ユニット２２は、光源２２１及びミラー２２２を備え、ステッピングモーター等の駆動手段を用いた不図示の移動機構によって副走査方向２１５（図１（Ａ）における左右方向）へ移動可能に構成されている。そして、前記駆動手段により前記読取ユニット２２が前記副走査方向２１５に移動されると、前記光源２２１から前記原稿台２１上に照射される光が前記副走査方向２１５に走査される。なお、前記読取ユニット２２は、前記画像読取部２による画像読取処理が実行される前の待機状態においては、前記移動機構によりホームポジションに移動される。例えば、前記ホームポジションは、前記原稿載置面２１１における前記副走査方向２１５の前記載置基準位置２１３側の端部である。
【００２２】
前記光源２２１は、主走査方向２１４（図１（Ａ）における奥行方向）に沿って配列された多数の白色ＬＥＤを備える。そして、前記光源２２１は、前記原稿台２１の前記原稿載置面２１１又は前記搬送読取面２１２を透過させて原稿に前記主走査方向２１４の１ライン分の白色光を照射する。前記光源２２１による光の照射位置が前記画像読取部２による画像データの読取位置であり、前記読取位置は前記読取ユニット２２の前記副走査方向２１５の移動に伴って前記副走査方向２１５に移動する。具体的に、前記読取ユニット２２は、前記原稿載置面２１１に載置された原稿から画像データを読み取る際には前記光源２２１の光が前記原稿載置面２１１を通過する位置に移動される。また、前記ＡＤＦ１によって搬送される原稿から画像データを読み取る際には、前記読取ユニット２２は前記光源２２１の光が前記搬送読取面２１２を通過する位置に移動される。
【００２３】
前記ミラー２２２は、前記光源２２１から照射されて前記原稿台２１上の前記読取位置にある原稿の表面で反射した後の光を前記ミラー２３に向けて反射させる。そして、前記ミラー２２２で反射した光は、前記ミラー２３、２４によって前記光学レンズ２５に導かれる。前記光学レンズ２５は、前記ミラー２４から入射した光を集光して前記ＣＣＤ２６に入射させる。
【００２４】
前記ＣＣＤ２６は、受光した光をその光量に応じた電気信号（電圧）に変換し、画像データとして出力する光電変換素子を有するイメージセンサーである。そして、前記ＣＣＤ２６は、前記光源２２１から光が照射されたときに前記原稿から反射して入射する反射光に基づく電気信号を前記原稿の画像データとして前記制御部５に入力する。
【００２５】
前記開閉検出センサー２７は、前記ＡＤＦ１の前記原稿台２１に対する回動角度が予め定められた検出角度を超えた状態から前記検出角度以下へと変化したことを検出するセンサーである。例えば、前記開閉検出センサー２７は、前記回動角度が前記検出角度を超えた状態から前記検出角度以下となった際に、前記ＡＤＦ１に接触して前記ＡＤＦ１の閉動作を示す電気信号を出力可能な機械式スイッチである。ここで、前記ＡＤＦ１が閉じられているときの前記回動角度を０度とすると、前記検出角度は、例えば１０〜２０度である。前記開閉検出センサー２７から出力される電気信号は、前記制御部５に入力される。
【００２６】
前記載置検出センサー２８は、前記原稿載置面２１１の予め定められた検出位置における原稿の有無を検出可能なセンサーである。ここで、前記画像形成装置１０における前記検出位置は、前記載置基準位置２１３に合わせて前記原稿載置面２１１に載置されるＦｏｌｉｏサイズの原稿の範囲内であって、且つＡ４横サイズの原稿の前記副走査方向２１５における端部の外側の位置である。例えば、前記載置検出センサー２８は、前記画像読取部２の底部であって前記検出位置の下側に設けられた発光部及び受光部を備える反射型光センサーである。前記載置検出センサー２８は、前記ＡＤＦ１が閉じられていない状態で前記発光部から前記検出位置に向けて光を照射させることで、前記受光部から原稿の有無に応じた電気信号を出力可能である。前記載置検出センサー２８から出力される電気信号は前記制御部５に入力される。
【００２７】
ところで、ユーザーによって前記ＡＤＦ１が閉じられる直前に、前記読取ユニット２２から光を照射させて前記画像データを読み取り、読み取った前記画像データから原稿領域及び原稿外領域を識別することで、前記原稿載置面２１１に載置されている原稿のサイズを検出可能な構成が知られている。しかしながら、前記ＡＤＦ１が閉じられる直前に前記画像データを読み取る場合には、前記ＡＤＦ１と前記原稿台２１との隙間から室内灯などの外部の光が前記原稿載置面２１１に差し込み、原稿のサイズの検出精度を低下させることがあった。これに対して、前記画像形成装置１０では、前記ＡＤＦ１が閉じられる直前の前記光電変換部２９の出力に応じて、読み取られた前記画像データが補正されることで、原稿のサイズの検出精度の向上が図られている。
【００２８】
ここで、図３（Ａ）及び図３（Ｂ）を参照しつつ、前記光電変換部２９について説明する。なお、図３（Ａ）及び図３（Ｂ）は前記ＡＤＦ１及び前記画像読取部２の斜視図であって、図３（Ａ）は前記ＡＤＦ１が開けられた状態を示すものであり、図３（Ｂ）は前記ＡＤＦ１が閉じられた状態を示すものである。なお、図３（Ａ）及び図３（Ｂ）において、前記ＡＤＦ１の構成を簡略化して示している。
【００２９】
前記光電変換部２９は、図３（Ａ）及び図３（Ｂ）に示すように、前記画像読取部２における予め定められた最大読取サイズの領域外であって、前記ＡＤＦ１が閉じられたときに前記ＡＤＦ１で覆われる領域に配置されている。ここで、前記画像形成装置１０における前記最大読取サイズは、前記載置基準位置２１３に合わせて前記原稿載置面２１１に載置されるＡ３横サイズの原稿に対応する領域である。
【００３０】
前記光電変換部２９は、受光量に応じた電力を出力する光電変換素子である。例えば、前記光電変換部２９は、並列又は直列に接続された複数の光電変換素子を有し、光エネルギーを電気エネルギーに変換する太陽電池である。なお、前記光電変換部２９は、フォトダイオードなどであってもよい。前記光電変換部２９から出力される電力は、不図示の電子回路によって電力値を示すデータに変換された後に、前記制御部５に入力される。
【００３１】
前記画像形成装置１０において、前記光電変換部２９は、図３（Ａ）に示すように、前記原稿台２１上における前記原稿載置面２１１の前記主走査方向２１４の両端部のうち、前記ヒンジ２１６から遠い側の端部の外側に配置されている。また、前記光電変換部２９の前記副走査方向２１５における位置は、前記ホームポジションと同じ位置である。なお、前記光電変換部２９の設置位置はこれに限られるものではない。例えば、前記光電変換部２９の設置位置は、前記読取ユニット２２上であってもよく、前記原稿載置面２１１の下側の前記画像読取部２の底部であってもよい。更に、前記光電変換部２９が複数設けられてもよい。
【００３２】
そして、前記制御部５は、図２に示すように、出力値取得部５１、読取制御部５２、データ変換部５３、データ補正部５４、原稿幅検出部５５、載置検出部５６、及びサイズ検出部５７を含む。ここに、前記出力値取得部５１が出力値取得手段の一例であり、前記読取制御部５２が読取制御手段の一例である。また、前記データ変換部５３がデータ変換手段の一例であり、前記出力値取得部５１、前記データ変換部５３及び前記データ補正部５４がデータ補正手段の一例である。更に、前記原稿幅検出部５５が原稿幅検出手段の一例であり、前記載置検出部５６が載置検出手段の一例である。加えて、前記サイズ検出部５７がサイズ検出手段の一例である。
【００３３】
具体的に、前記制御部５の前記ＲＯＭ又は前記ＥＥＰＲＯＭには、前記ＣＰＵに後述のサイズ検出処理（図４参照）を実行させるためのサイズ検出プログラムが予め記憶されている。なお、前記サイズ検出プログラムは、ＣＤ、ＤＶＤ、フラッシュメモリなどのコンピューター読み取り可能な記録媒体に記録されており、前記記録媒体から読み取られて前記制御部５の前記ＥＥＰＲＯＭなどの記憶部にインストールされるものであってもよい。そして、前記制御部５は、前記ＣＰＵを用いて前記ＲＯＭに記憶されている前記サイズ検出プログラムを実行することにより、前記出力値取得部５１、前記読取制御部５２、前記データ変換部５３、前記データ補正部５４、前記原稿幅検出部５５、前記載置検出部５６、及び前記サイズ検出部５７として機能する。なお、前記制御部５が電子回路である場合、前記出力値取得部５１、前記読取制御部５２、前記データ変換部５３、前記データ補正部５４、前記原稿幅検出部５５、前記載置検出部５６、及び前記サイズ検出部５７は、前記制御部５が備える各モジュールとして構成される。
【００３４】
前記出力値取得部５１は、前記ＡＤＦ１の前記原稿台２１に対する前記回動角度が前記検出角度を超えた状態から前記検出角度以下へと変化した際に、前記光電変換部２９の出力値を取得する。具体的に、前記出力値取得部５１は、前記開閉検出センサー２７から出力される電気信号に基づいて前記回動角度が前記検出角度を超えた状態から前記検出角度以下へと変化したことを検出した場合に、前記光電変換部２９の出力値を取得する。また、前記出力値取得部５１は、前記電子回路により電力値を示すデータに変換された前記光電変換部２９の出力を読み出すことで、前記光電変換部２９の出力値を取得する。
【００３５】
前記読取制御部５２は、前記ＡＤＦ１の前記原稿台２１に対する前記回動角度が前記検出角度を超えた状態から前記検出角度以下へと変化した際に、前記画像読取部２に少なくとも１ライン分の前記画像データを読み取らせる。具体的に、前記読取制御部５２は、前記開閉検出センサー２７から出力される電気信号に基づいて前記回動角度が前記検出角度を超えた状態から前記検出角度以下へと変化したことを検出した場合に、前記画像読取部２に前記画像データを読み取らせる。ここで、前記読取制御部５２は、前記出力値取得部５１により前記光電変換部２９の出力値が取得された後に、前記画像読取部２に前記画像データを読み取らせる。例えば、前記読取制御部５２は、前記ホームポジションで待機中の前記読取ユニット２２に、前記ホームポジションを前記読取位置とした１ライン分又は数ライン分の前記画像データを読み取らせる。
【００３６】
前記データ変換部５３は、前記読取制御部５２により読み取られた前記画像データを予め定められた閾値に基づいて濃度別に２値化する。具体的に、前記データ変換部５３は、前記閾値に基づいて前記画像データに含まれる画素各々を低濃度画素又は高濃度画素に変換することで、前記画像データを２値化する。なお、前記閾値は、予め前記制御部５の前記ＥＥＰＲＯＭなどの記憶手段に記憶された値が用いられる。例えば、前記画像形成装置１０において、前記画像データの画素の濃度が２５６階調で示され、濃度値０が白色を示し、濃度値２５５が黒色を示す場合には、前記閾値は１２８などの値に定められる。そして、前記データ変換部５３は、前記画像データに含まれる画素各々について、濃度値が前記閾値未満の画素については濃度値を０に変換し、前記閾値以上の画素については濃度値を１に変換する。
【００３７】
前記データ補正部５４は、前記出力値取得部５１により取得された前記光電変換部２９の出力値に応じて、前記読取制御部５２により読み取られた前記画像データを補正する。具体的に、前記データ補正部５４は、前記光電変換部２９の出力値に応じて前記閾値を変化させることで、前記画像データを補正する。例えば、前記画像形成装置１０では、前記ＥＥＰＲＯＭなどの記憶手段に、前記光電変換部２９の出力値と前記閾値の変化量とが対応付けられたテーブルデータが記憶されている。そして、前記データ補正部５４は、前記テーブルデータを参照することで、前記光電変換部２９の出力値に対応する前記閾値の変化量を取得することが可能である。ここで、前記データ補正部５４は、取得した前記閾値の変化量だけ前記閾値を減少させることで、前記閾値を変化させる。なお、前記画像形成装置１０において、濃度値０が黒色を示し、濃度値２５５が白色を示す場合には、前記データ補正部５４は、取得した前記閾値の変化量だけ前記閾値を増加させることで、前記閾値を変化させる。
【００３８】
前記原稿幅検出部５５は、前記データ変換部５３により濃度別に２値化された前記画像データに基づいて、前記原稿載置面２１１に載置されている原稿の前記主走査方向２１４における幅を検出する。具体的に、前記原稿幅検出部５５は、２値化された前記画像データから原稿領域と原稿外領域との境界を識別することで、原稿の前記主走査方向２１４における幅を検出する。例えば、前記原稿幅検出部５５は、前記画像データに含まれる濃度値０の画素が予め定められた数以上連続する領域各々のうち、前記載置基準位置２１３から最も離れた前記領域の前記載置基準位置２１３から離れた側の端部を、原稿領域と原稿外領域との境界と識別する。
【００３９】
前記載置検出部５６は、前記原稿載置面２１１の前記検出位置における原稿の有無を検出可能である。具体的に、前記載置検出部５６は、前記ＡＤＦ１の前記原稿台２１に対する前記回動角度が前記検出角度を超えた状態から前記検出角度以下へと変化した際に、前記載置検出センサー２８の前記発光部に光を照射させ、前記受光部から出力される電気信号に基づいて、前記検出位置における原稿の有無を検出する。
【００４０】
前記サイズ検出部５７は、前記原稿幅検出部５５及び前記載置検出部５６の検出結果に応じて、前記原稿載置面２１１に載置されている原稿のサイズを検出する。具体的に、前記サイズ検出部５７は、予め前記ＥＥＰＲＯＭなどの記憶手段に記憶された原稿の各種サイズの寸法を示すデータに基づいて、前記原稿幅検出部５５により検出された原稿の幅と一致する原稿のサイズを抽出する。そして、一つの原稿のサイズが抽出された場合には、前記サイズ検出部５７は、抽出された原稿のサイズを前記原稿載置面２１１に載置されている原稿のサイズとして検出する。一方、複数の原稿のサイズが抽出された場合には、前記サイズ検出部５７は、前記載置検出部５６の検出結果に基づいて原稿のサイズを特定することにより、原稿のサイズを検出する。例えば、前記原稿幅検出部５５で検出された原稿の幅がＡ４縦及びＡ３横のサイズと一致する場合であって、前記載置検出部５６の検出結果が原稿有の場合には、前記サイズ検出部５７は、前記原稿載置面２１１に載置されている原稿のサイズがＡ３横であると判断する。また、前記原稿幅検出部５５で検出された原稿の幅がＡ４縦及びＡ３横のサイズと一致する場合であって、前記載置検出部５６の検出結果が原稿無の場合には、前記サイズ検出部５７は、前記原稿載置面２１１に載置されている原稿のサイズがＡ４縦であると判断する。
【００４１】
［サイズ検出処理］
以下、図４を参照しつつ、前記画像形成装置１０において前記制御部５が前記サイズ検出プログラムに従って実行するサイズ検出処理の手順の一例について説明する。ここで、ステップＳ１、Ｓ２・・・は、前記制御部５により実行される処理手順（ステップ）の番号を表している。
【００４２】
＜ステップＳ１＞
まず、ステップＳ１において、前記制御部５は、前記ＡＤＦ１の前記原稿台２１に対する前記回動角度が前記検出角度を超えた状態から前記検出角度以下へと変化したか否かを判断する。具体的に、前記制御部５は、前記開閉検出センサー２７から出力される電気信号に基づいて、前記回動角度が前記検出角度を超えた状態から前記検出角度以下へと変化したか否かを判断する。
【００４３】
ここで、前記制御部５は、前記回動角度が前記検出角度を超えた状態から前記検出角度以下へと変化したと判断すると（Ｓ１のＹｅｓ側）、処理をステップＳ２に移行させる。また、前記回動角度が前記検出角度を超えた状態から前記検出角度以下へと変化していなければ（Ｓ１のＮｏ側）、前記制御部５は、前記ステップＳ１で前記回動角度が前記検出角度を超えた状態から前記検出角度以下へと変化するのを待ち受ける。
【００４４】
＜ステップＳ２＞
ステップＳ２において、前記制御部５は、前記光電変換部２９の出力値を取得する。具体的に、前記制御部５は、前記電子回路により電力値を示すデータに変換された前記光電変換部２９の出力を読み出すことで、前記光電変換部２９の出力値を取得する。ここに、前記ステップＳ２の処理は、前記制御部５の前記出力値取得部５１により実行される。
【００４５】
＜ステップＳ３＞
ステップＳ３において、前記制御部５は、前記画像読取部２に１ライン分の前記画像データを読み取らせる。具体的に、前記制御部５は、前記ホームポジションで待機中の前記読取ユニット２２に、前記ホームポジションを前記読取位置とする１ライン分の前記画像データを読み取らせる。ここに、前記ステップＳ３の処理が、第１ステップの一例であって、前記制御部５の前記読取制御部５２により実行される。
【００４６】
ここで、前記サイズ検出処理では、前記ＡＤＦ１の前記原稿台２１に対する前記回動角度が前記検出角度を超えた状態から前記検出角度以下へと変化した際に、前記制御部５が前記光電変換部２９の出力値を取得した後に、前記画像読取部２に１ライン分の前記画像データを読み取らせる。そのため、前記制御部５により取得される前記光電変換部２９の出力値に、前記画像読取部２の読取動作の際に発光される前記光源２２１の光が反映されることが回避される。
【００４７】
また、前記画像形成装置１０では、前記光電変換部２９が、図３（Ａ）に示したように、前記原稿台２１上における前記原稿載置面２１１の前記主走査方向２１４の両端部のうち、前記ヒンジ２１６から遠い側の端部の外側に配置されている。そのため、前記制御部５による原稿領域と原稿外領域との境界の識別を誤らせる原因となる、前記原稿載置面２１１の前記主走査方向２１４の両端部のうち前記ＡＤＦ１の回動軸から遠い側の端部周辺に入射する外部の光を、前記光電変換部２９で受光させることが可能である。更に、前記画像形成装置１０では、前記光電変換部２９の前記副走査方向２１５における位置は、前記ホームポジションと同じ位置である。そのため、前記ステップＳ３での前記画像読取部２による前記画像データの前記読取位置周辺に入射する外部の光を、前記読取位置に近接した位置で前記光電変換部２９に受光させることが可能である。
【００４８】
＜ステップＳ４＞
ステップＳ４において、前記制御部５は、前記原稿載置面２１１の前記検出位置における原稿の有無を検出する。具体的に、前記制御部５は、前記載置検出センサー２８の前記発光部に光を照射させ、前記受光部から出力される電気信号に基づいて、前記検出位置における原稿の有無を検出する。ここに、前記ステップＳ４の処理は、前記制御部５の前記載置検出部５６により実行される。
【００４９】
＜ステップＳ５＞
ステップＳ５において、前記制御部５は、前記ステップＳ２で取得された前記光電変換部２９の出力値に応じて、前記閾値を変化させる。具体的に、前記制御部５は、前記ＥＥＰＲＯＭに記憶されている前記テーブルデータを参照することで、前記光電変換部２９の出力値に対応する前記閾値の変化量を取得する。そして、前記制御部５は、取得した前記閾値の変化量だけ前記閾値を減少させることで、前記閾値を変化させる。これにより、前記ステップＳ３での前記画像データの読み取りの直前における外部の光の影響が前記閾値に反映される。ここに、前記ステップＳ５の処理は、前記制御部５の前記データ補正部５４により実行される。
【００５０】
＜ステップＳ６＞
ステップＳ６において、前記制御部５は、前記ステップＳ３で読み取られた前記画像データを前記ステップＳ５で変化された前記閾値に基づいて濃度別に２値化する。具体的に、前記制御部５は、前記画像データに含まれる画素各々について、濃度値が前記閾値未満の画素については濃度値を０に変換し、前記閾値以上の画素については濃度値を１に変換する。これにより、前記制御部５による前記画像データから原稿領域と原稿外領域の境界を識別する処理が簡素化される。ここに、前記ステップＳ５及び前記ステップＳ６の処理が、第２ステップの一例であって、前記ステップＳ６の処理は、前記制御部５の前記データ変換部５３により実行される。
【００５１】
＜ステップＳ７＞
ステップＳ７において、前記制御部５は、前記ステップＳ６で２値化された前記画像データに基づいて、前記原稿載置面２１１に載置されている原稿の前記主走査方向２１４における幅を検出する。具体的に、前記制御部５は、前記画像データに含まれる濃度値０の画素が予め定められた数以上連続する領域各々のうち、前記載置基準位置２１３から最も離れた前記領域の前記載置基準位置２１３から離れた側の端部を、原稿領域と原稿外領域との境界と識別する。そして、前記制御部５は、識別された原稿領域と原稿外領域との境界に基づいて、原稿の前記主走査方向２１４における幅を検出する。ここに、前記ステップＳ７の処理が、第３ステップの一例であり、前記制御部５の前記原稿幅検出部５５により実行される。
【００５２】
＜ステップＳ８＞
ステップＳ８において、前記制御部５は、前記ステップＳ７及び前記ステップＳ４での検出結果に応じて、前記原稿載置面２１１に載置されている原稿のサイズを検出する。具体的に、前記制御部５は、前記ＥＥＰＲＯＭに記憶された原稿の各種サイズの寸法を示すデータに基づいて、前記ステップＳ７により検出された原稿の幅と一致する原稿のサイズを抽出する。そして、一つの原稿のサイズが抽出された場合には、前記制御部５は、抽出された原稿のサイズを前記原稿載置面２１１に載置されている原稿のサイズとして検出する。一方、複数の原稿のサイズが抽出された場合には、前記制御部５は、前記ステップＳ４での検出結果に基づいて原稿のサイズを特定することにより、原稿のサイズを検出する。
【００５３】
そして、前記ステップＳ８で検出された原稿のサイズは、前記画像形成装置１０で引き続き実行される画像読取処理において、前記読取ユニット２２の移動制御、前記光源２２１の発光制御、前記制御部５による読み取り画像データの画像処理等に用いられる。更に、前記画像読取処理に引き続いて画像形成処理が実行される場合には、前記ステップＳ８で検出された原稿のサイズは印刷用紙の選択等にも用いられる。
【００５４】
このように、前記サイズ検出処理では、前記ＡＤＦ１が閉じられる直前の前記光電変換部２９の出力に応じて、前記ＡＤＦ１が閉じられる直前に原稿のサイズの検出のために読み取られた前記画像データを濃度別に２値化するために用いられる前記閾値が変化される。これにより、原稿のサイズの検出のために読み取られる前記画像データにおいて、外部の光による影響が抑制されるため、原稿のサイズの検出精度を向上させることが可能である。
【００５５】
また、前記画像形成装置１０では、前記ＡＤＦ１が閉じられる直前に前記原稿載置面２１１に入射する外部の光を検出する前記光電変換部２９として、太陽電池が用いられている。そのため、電力を消費することなく外部の光を検出可能であることに加えて、前記光電変換部２９から出力される電力を前記画像形成装置１０に供給することが可能である。
【００５６】
［他の実施形態］
ところで、前記データ補正部５４が、前記原稿載置面２１１の前記主走査方向２１４における予め定められた複数の部分領域ごとに対応する前記画像データを個別に補正可能な構成が、他の実施形態として考えられる。具体的には、前記データ補正部５４が、前記閾値を前記部分領域ごとに異なる値に補正することにより前記画像データを前記部分領域ごとに補正することが可能である。これにより、前記原稿載置面２１１の前記主走査方向２１４における位置ごとの外部の光の入射のしやすさに応じて、前記閾値を変化させることが可能となり、原稿のサイズの検出精度をより向上させることが可能となる。
【００５７】
また、例えば図５に示すように、前記光電変換部２９が前記主走査方向２１４に沿って複数設けられることが考えられる。この場合、前記データ補正部５４は、前記光電変換部２９各々の位置に対応する前記部分領域の前記画像データを前記光電変換部２９各々の出力値に応じて補正することが考えられる。これにより、前記原稿載置面２１１の前記主走査方向２１４における位置ごとの外部の光の入射のしやすさを考慮して前記画像データを補正することができる。
【００５８】
また、前記データ補正部５４が、前記読取制御部５２により読み取られた前記画像データを補正する方法は、前記閾値を変更する方法に限られない。例えば、前記データ補正部５４が、前記読取制御部５２により読み取られた前記画像データの濃度値を、前記光電変換部２９の出力に応じて直接変更することも考えられる。
【符号の説明】
【００５９】
１  ：ＡＤＦ
２  ：画像読取部
２１：原稿台
２２：読取ユニット
２３：ミラー
２４：ミラー
２５：光学レンズ
２６：ＣＣＤ
２７：開閉検出センサー
２８：載置検出センサー
２９：光電変換部
３  ：画像形成部
４  ：給紙部
５  ：制御部
５１：出力値取得部
５２：読取制御部
５３：データ変換部
５４：データ補正部
５５：原稿幅検出部
５６：載置検出部
５７：サイズ検出部
６  ：操作表示部
１０：画像形成装置
【図１】
0005975975.tif 000002
【図２】
0005975975.tif 000003
【図３】
0005975975.tif 000004
【図４】
0005975975.tif 000005
【図５】
0005975975.tif 000006